(57)【要約】【課題】拡縮可能な架設杆を備えた水切り籠において、架設杆が不用意に外れることはないが、取り外す意思をもって操作すれば容易に取り外すことができるような架設杆を備えた水切り籠を提供する。【解決手段】本発明に係る水切り籠１は、流し台の流し槽１５の縁に架設する水切り籠であって、籠本体３の上辺部の両側縁に形成された支持部５に両側縁の延長方向に拡縮可能に設けた架設杆７を備え、架設杆７は籠本体３側の端部に下方に屈曲する屈曲部２３を有し、支持部５は、籠本体３端部に近い部位に設けられると共に架設杆７が挿通可能な第１穴２９を有する第１立壁３１と、第１立壁３１と所定距離離して設けられると共に架設杆７が挿通可能な第２穴３３を有する第２立壁３５とを備え、第２穴３３は、架設杆７の屈曲部２３がその縁部に当接した状態で第１穴２９の周壁を基点として架設杆７を回動させたときに屈曲部２３が抜け出すことができるように形成されていることを特徴とするものである。【選択図】  図１
2011067552.tif 000002
【特許請求の範囲】
【請求項１】
流し台の流し槽縁に架設する水切り籠であって、籠本体の上辺部の両側縁に形成された支持部に前記両側縁の延長方向に拡縮可能に設けた架設杆を備え、該架設杆は籠本体側の端部に下方に屈曲する屈曲部を有し、
前記支持部は、籠本体端部に近い部位に設けられると共に前記架設杆が挿通可能な第１穴を有する第１立壁と、該第１立壁と所定距離離して設けられると共に前記架設杆が挿通可能な第２穴を有する第２立壁とを備え、前記第２穴は、前記架設杆の屈曲部がその縁部に当接した状態で前記第１穴周壁を基点として前記架設杆を回動させたときに前記屈曲部が抜け出すことができるように形成されていることを特徴とする水切り籠。
【請求項２】
前記架設杆の端部に着脱可能なストッパ部材を装着したことを特徴とする請求項１記載の水切り籠。
【請求項３】
前記第２立壁が、その下部が前記第１立壁側に近づく方向に傾斜する傾斜壁であり、前記ストッパ部材が周方向の一部に切欠きを有するＣ型リングであり、前記架設杆を拡長方向に移動して前記ストッパ部材の端部が前記傾斜壁に当接した後、さらに拡長方向に移動することで前記ストッパ部材が傾斜壁に押されて外れるようにしたことを特徴とする請求項２記載の水切り籠。
【請求項４】
前記架設杆を拡張方向に移動したときに前記ストッパ部材の端面に当接して前記架設杆の移動を規制する規制壁を設けたことを特徴とする請求項２又は３に記載の水切り籠。
【発明の詳細な説明】
【技術分野】
【０００１】
本発明は、流し台の流し槽の縁に架設して水洗器物等を置く水切り籠に関するものである。
【背景技術】
【０００２】
この種の水切り籠は、一般にその縁部を流し槽の縁に架設する構造である。流し槽の幅には大小あることから、水切り籠の縁に拡縮可能な架設杆を設けるようにしたものが提案されている（例えば特許文献１参照）。また、拡縮可能にした場合には、架設杆が抜けてしまうのを防止するために抜止めの構造を設けるのが一般的である。
このような抜止めの構造としては、特許文献１に記載されたように、架設杆の端部に架設杆が挿入されて摺動する穴よりも大径の膨大部を設けるようにしたものがある。
【先行技術文献】
【特許文献】
【０００３】
【特許文献１】実開平５−６３４４８号公報
【発明の概要】
【発明が解決しようとする課題】
【０００４】
拡縮可能な架設杆を設けたものでは、抜止めを設けているため、架設杆を水切り籠から取り外すことができないのが一般的である。そのため、架設杆が装着されている部位に水垢などが付着しても清掃がし難いという問題がある。
もっとも、清掃のし易さを重視して架設杆を伸張したときにそのまま抜け出すようにすることも考えられる。しかしながら、そのような構造であれば、使用者が架設杆を取り外す意思がないときにも不用意に架設杆が抜け落ちてしまい、再度挿入しなければならず、面倒である。
【０００５】
本発明はかかる課題を解決するためになされたものであり、拡縮可能な架設杆を備えた水切り籠において、架設杆が不用意に外れることはないが、取り外す意思をもって操作すれば容易に取り外すことができるような架設杆を備えた水切り籠を提供することを目的としている。
【課題を解決するための手段】
【０００６】
（１）本発明に係る水切り籠は、流し台の流し槽縁に架設する水切り籠であって、籠本体の上辺部の両側縁に形成された支持部に前記両側縁の延長方向に拡縮可能に設けた架設杆を備え、該架設杆は籠本体側の端部に下方に屈曲する屈曲部を有し、
前記支持部は、籠本体端部に近い部位に設けられると共に前記架設杆が挿通可能な第１穴を有する第１立壁と、該第１立壁と所定距離離して設けられると共に前記架設杆が挿通可能な第２穴を有する第２立壁とを備え、前記第２穴は、前記架設杆の屈曲部がその縁部に当接した状態で前記第１穴周壁を基点として前記架設杆を回動させたときに前記屈曲部が抜け出すことができるように形成されていることを特徴とするものである。
【０００７】
（２）また、上記（１）に記載のものにおいて、前記架設杆の端部に着脱可能なストッパ部材を装着したことを特徴とするものである。
【０００８】
（３）また、上記（２）に記載のものにおいて、前記第２立壁が、その下部が前記第１立壁側に近づく方向に傾斜する傾斜壁であり、前記ストッパ部材が周方向の一部に切欠きを有するＣ型リングであり、前記架設杆を拡長方向に移動して前記ストッパ部材の端部が前記傾斜壁に当接した後、さらに拡長方向に移動することで前記ストッパ部材が傾斜壁に押されて外れるようにしたことを特徴とするものである。
【０００９】
（４）また、上記（２）又は（３）に記載のものにおいて、前記架設杆を拡張方向に移動したときに前記ストッパ部材の端面に当接して前記架設杆の移動を規制する規制壁を設けたことを特徴とするものである。
【発明の効果】
【００１０】
本発明においては、架設杆を拡縮可能に設けると共に該架設杆を支持する支持部を、籠本体端部に近い部位に設けられると共に前記架設杆が挿通可能な第１穴を有する第１立壁と、該第１立壁と所定距離離して設けられると共に前記架設杆が挿通可能な第２穴を有する第２立壁とを備え、前記第２穴は、前記架設杆の屈曲部がその縁部に当接した状態で前記第１穴周壁を基点として前記架設杆を回動させたときに前記屈曲部が抜け出すことができるように形成したので、架設杆を不用意には抜け落ちないが、積極的に抜こうとする動作をすることで、簡単に取り外すことができ、水垢などの付き易い架設杆の装着部を清潔に保つことができる。
【図面の簡単な説明】
【００１１】
【図１】本発明の一実施の形態に係る水切り籠の斜視図である。
【図２】本発明の一実施の形態に係る水切り籠を底面図である。
【図３】本発明の一実施の形態に係る水切り籠の使用状態の説明図である。
【図４】図１の矢視Ａ−Ａ線に沿う断面図である。
【図５】本発明の一実施の形態に係る水切り籠における架設杆の取外しの動作を説明する説明図である。
【図６】図５の一部を断面で示した図である。
【図７】本発明の一実施の形態に係る水切り籠における架設杆の取外しの動作を説明する説明図である。
【図８】本発明の一実施の形態に係る水切り籠における架設杆の取外しの動作を説明する説明図である。
【図９】本発明の一実施の形態に係る水切り籠における架設杆の取外しの動作を説明する説明図であり、図８の状態の斜視図である。
【図１０】本発明の一実施の形態に係る水切り籠における架設杆の取外しの動作を説明する説明図である。
【図１１】本発明の一実施の形態に係る水切り籠における架設杆の取外しの動作を説明する説明図である。
【図１２】本発明の一実施の形態に係る水切り籠における架設杆を縮めた状態の斜視図である。
【図１３】本発明の一実施の形態に係る水切り籠における架設杆の取外し動作のメカニズムを説明する説明図である。
【図１４】本発明の一実施の形態に係る水切り籠における架設杆の取外し動作のメカニズムを説明する説明図である。
【図１５】本発明の他の実施の形態に係る水切り籠の底面図である。
【図１６】本発明の他の実施の形態に係る水切り籠の要部の説明図である。
【図１７】本発明の他の実施の形態に係る水切り籠における架設杆に装着したリング部材の機能の説明図である。
【図１８】本発明の他の実施の形態に係る水切り籠における架設杆の取外し時の動作説明図である。
【図１９】本発明の他の実施の形態に係る水切り籠の底面図である。
【図２０】本発明の第１穴の他の態様の説明図である。
【発明を実施するための形態】
【００１２】
［実施の形態１］
図１乃至図３に基づいて本実施の形態を説明する。
本実施の形態に係る水切り籠１は、籠本体３の長手方向上辺の両側縁に形成された支持部５に、籠本体３を流し槽１５の縁に架設する架設杆７を拡縮可能に設けたものである。
以下、各構成部分を詳細に説明する。
【００１３】
＜籠本体＞
籠本体３は、図１に示すように、平面形状が角丸の矩形状をしており、下方に向って若干縮径する略直方体形状の食器等収納部９を有している。食器等収納部９の周縁には外側に向って張り出した鍔部１１が形成されており、長手方向両側の鍔部１１が架設杆７を支持する支持部５を構成している。食器等収納部９の長手方向の一方の端部は、食器等収納部９よりも外方に張り出す張出し部１３になっており、図３に示すように、流し槽１５の縁に載置できるようになっている。
籠本体３の底面には、長丸状の水切り穴１７が多数形成されて水滴が下方に落下できるようになっている。
【００１４】
＜架設杆＞
架設杆７は、図１、図２にから理解されるように、対向して延びる一対の長辺１９と長辺１９の一方の端部に連続する短辺２１からなる略コ字状をしており、金属棒を屈曲加工して形成されている。架設杆７の長辺１９における籠側の両端部には、図４に示すように、下方に向けて略９０°屈曲された屈曲部２３が形成されている。
架設杆７の短辺２１には、円周方向の一部に切欠部２４が形成されたＣ型リング部材２５が一対装着されている。このＣ型リング部材２５の機能については後述する。
架設杆７は、籠本体３の両側の鍔部１１に形成された支持部５に支持されて、籠本体３の長手方向（図１の矢印Ｐ方向）にスライドして拡縮できるようになっている。
【００１５】
＜支持部＞
支持部５は、籠本体３の長手方向の鍔部１１に形成されている。左右の支持部５の構造は同一構造なので、図１における図中奥側の支持部５について説明する。
支持部５は、鍔部１１の一部が下方に向って凹む凹み部２７となった部位に形成されている。支持部５は、籠端部に近い部位に設けられると共に前記架設杆７が挿通可能な第１穴２９を有する第１立壁３１と、第１立壁３１から所定の距離だけ張出し部１３方向に離れた部位に設けられると共に架設杆７が挿通可能な第２穴３３を有する第２立壁３５とを備えて構成されている（図４参照）。第１立壁３１と第２立壁３５は対向しており、かつ両壁の下部が互いに近づく方向に傾斜した、傾斜壁となっている。
【００１６】
上記のように構成された水切り籠１の機能を説明する。
使用状態では、図３に示すように、張出し部１３を流し槽１５の一方の縁部（図中手前側）に載置し、拡長幅（伸長量）を調整した架設杆７を、流し槽１５における前記一方の縁部に対向する縁部に載置することによって、籠本体３を流し槽１５に架設する。
清掃等のために架設杆７を外す場合には、図５に示すように、架設杆７を最も拡長させる。このとき、架設杆７の屈曲部２３は、図６に示すように、第２穴３３の周縁部に当接する。したがって、屈曲部２３がストッパとなって架設杆７が不用意に抜けるのを防止できる。
【００１７】
架設杆７を抜き取る場合は、図６に示す状態から、架設杆７の短辺２１側を下方に移動させると、架設杆７は第１穴２９の縁を回動の支点として回動する。このとき、第２穴３３が傾斜面に設けられているので、第２穴３３には屈曲部２３がすり抜ける隙間があり、それ故に図７に示すように、屈曲部２３が第２穴３３を抜け出し、さらに回動させると図８に示すように、屈曲部２３は第２穴３３から完全に抜け出す。この状態を斜視図で示したのが、図９である。
屈曲部２３が第２穴３３から完全に抜け出すと、図１０に示すように、架設杆７を第２穴３３に沿って下方に移動させ、さらに図１１に示すように、屈曲部２３を第２穴３３から抜き出すことで架設杆７を完全に取り外すことができる。
【００１８】
このように、架設杆７は第１穴２９、第２穴３３に沿う方向に移動するだけでは、抜けないが、使用者が取り外しの積極的な意思をもって、前記移動とは移動の向きが異なる回動操作をすることで、取外しができる構造になっている。
つまり、架設杆７は不用意には抜け落ちないが、積極的に抜こうとする動作をすることで、簡単に取り外すことができる。
【００１９】
このように、本実施の形態によれば、不用意には抜け落ちないが、積極的に抜こうとする動作をすることで、簡単に取り外すことができ、水垢などの付き易い架設杆７の装着部を清潔に保つことができる。
また、架設杆７の取外しと装着が容易にできることから、籠本体３をプラスチック成形で製造し、別に架設杆７を金属棒で製作して、両者を容易に組み合わせて完成体である水切り籠にすることが可能となり、製作手順を合理化できる。
【００２０】
なお、水切り籠１を使用しないときには、図１２に示すように、架設杆７を籠本体３側に縮めた状態にする。このとき、図１２に示されるように、架設杆７の短辺２１が籠本体３の鍔部１１の下方に入り込み、短辺２１に装着したＣ型リングの上面が鍔部１１の下面に当接し、ストッパとして機能する。
【００２１】
次に、架設杆７の先端の屈曲部２３が第２穴３３から抜け出すメカニズムをさらに詳細に説明する。図６〜図８に示したように、架設杆７を回転させることで、屈曲部２３が上方に移動しつつ図中右方向に移動し、この移動の際に第２穴３３の上縁に屈曲部２３が当接することなく抜け出すことで、取外し可能としている。
この一連の動作から、取外しの動作には、次の２つの要素が関係している。一つは、架設杆７を回動させるときの回転半径であり、他の一つは第２立壁３５の傾斜角度である。
【００２２】
まず、回転半径について、図１３に基づいて説明する。回転半径は、第１穴と第２穴３３の距離Ｌによって規定される。図１３には、距離ＬをＬ１〜Ｌ５まで変化させた場合を図１３（ａ）〜（ｅ）に示し、その際の架設杆７の先端が描く軌跡を図１３（ｆ）に示している。図１３（ｆ）から分かるように、距離Ｌが短いほど軌跡の曲率が大きくなり、曲率が大きいほど少しの回転で水平方向の移動距離が大きくなる。このことは、距離Ｌが短いほど架設杆７は少しの回転で第２穴３３から抜け出し易いことを意味している。
【００２３】
次に、第２立壁３５の傾斜角度について、図１４に基づいて説明する。傾斜角度をαとし、第２穴３３の開口部の長さをａとすると、第２穴３３を平面視したときの隙間長さｂは、ａcosαであり、開口部長さａが同じであればαが小さいほど大きくなる。このことは、傾斜角度αが小さいほど、すなわち第２立壁３５の傾斜が緩いほど架設杆７の屈曲部２３が抜け出し易いことを意味している。
なお、屈曲部２３が第２穴３３を抜け出せるためには、屈曲部２３の屈曲長さS2が、第２穴３３の縁と屈曲部２３の隙間S1を通りぬけられることが必要である。そのためには屈曲部２３の長さS2が極端に長いと屈曲部２３の先端が第２穴３３の縁に当接するため、屈曲部２３の長さS2をあまり長くすることはできず、屈曲長さS2は架設杆７の径と同じか、その1.5倍程度にしておくのが好ましい。
もっとも、屈曲長さS2が短いと架設杆７を図１４において水平方向に移動したときに抜け出しやすいので、水平方向に移動しただけでは屈曲部２３が第２穴３３から抜けないようにするため、架設杆の外径をＲとして、（S2+Ｒ）＞asinαとなるように、屈曲長さS2を設定するのが好ましい。
【００２４】
以上の考察から、傾斜角度α小さく、距離Ｌが短いほど、屈曲短部が抜け出しやすく、傾斜角度αが大きく、距離Ｌが長いほど屈曲部２３が抜け出しにくいことが分かる。
屈曲部２３が抜け出し易いということは、不用意に抜ける可能性が高くなるが、逆に架設杆７の取外しは容易にできることを意味しており、逆に屈曲部２３が抜け出し難いということは、不用意に抜ける可能性は低いが架設杆７の取り出し操作を正確に行わないとしないと取り外しがでにくいことを意味する。
したがって、傾斜角度αと距離Ｌには、不用意には抜けないが、積極的に抜こうとすれば簡単に抜けるという意味での最適範囲が存在する。発明者の検討によると、αは30°≦α≦60°で、Ｌは、30mm≦Ｌ≦200mmである。
【００２５】
［実施の形態２］
図１５は、本発明の実施の形態２の水切り籠１の底面図、図１６は本実施の形態２の要部の説明図である。
本実施の形態の水切り籠１は、図１５、図１６に示すように、架設杆７の屈曲部２３側の先端に、可撓性の材質、例えば樹脂、ゴムなどで形成され、軸方向に切欠きが設けられたＣ型リングからなるストッパ部材３７を装着したものである。
リング部材を装着することで、図１７に示すように、架設杆７が第２穴３３側に移動したときにリング部材が第２穴３３に当接して架設杆７が不用意に抜け出すのを防止する。
もっとも、リング部材は可撓性であるから、図１８（ａ）〜（ｄ）に示すように、架設杆７を取り外すために少し力を入れて架設杆７を引き出すようにすれば、リング部材の上部が傾斜壁に当接して、さらに引くと、自動的に取り外される。
【００２６】
したがって、本実施の形態によれば、架設杆７が不用意に抜け落ちることはないが、抜こうと思えば簡単に取り外すことができるという効果をより効果的に奏することができる。
【００２７】
［実施の形態３］
図１９は本発明の実施の形態３の水切り籠１の底面図である。
本実施の形態の水切り籠１は、実施の形態２で説明したＣ型リングからなるストッパ部材３７を装着すると共に、第２立壁３５よりも張出し部１３寄りにストッパ部材３７の端部が当接して架設杆７の移動を規制する規制壁３９を設けたものである。
規制壁３９を設けることで、ストッパ部材３７が規制壁３９に当接すると、それ以上は架設杆７を移動させることができなくなり、架設杆７が不用意に抜け出すのをより確実に防止することができる。
なお、架設杆７を取り外す際には、ストッパ部材３７を取り外して、その後、実施の形態１で説明した動作を行えばよい。
【００２８】
なお、上記の実施の形態１〜３では、第２立壁３５を傾斜壁とし、第２穴３３を傾斜壁に設けるようにしたが、例えば図２０に示すように、第２立壁を垂直壁４１にして、第２穴３３を垂直壁４１とこれに連続する水平壁４３に跨るように設けてもよい。
また、上記の実施の形態では、籠本体３の一端には張出し部１３を設け、他端側に架設杆７を設けた例を示したが、両側に拡縮可能な架設杆７を設けてもよい。
【符号の説明】
【００２９】
１  水切り籠
３  籠本体
５  支持部
７  架設杆
９  食器等収納部
１１  鍔部
１３  張出し部
１５  流し槽
１７  水切り穴
１９  長辺
２１  短辺
２３  屈曲部
２４  切欠部
２５  Ｃ型リング部材
２７  凹み部
２９  第１穴
３１  第１立壁
３３  第２穴
３５  第２立壁
３７  ストッパ部材
３９  規制壁
４１  垂直壁
４３  水平壁
【図１】
2011067552.tif 000003
【図２】
2011067552.tif 000004
【図３】
2011067552.tif 000005
【図４】
2011067552.tif 000006
【図５】
2011067552.tif 000007
【図６】
2011067552.tif 000008
【図７】
2011067552.tif 000009
【図８】
2011067552.tif 000010
【図９】
2011067552.tif 000011
【図１０】
2011067552.tif 000012
【図１１】
2011067552.tif 000013
【図１２】
2011067552.tif 000014
【図１３】
2011067552.tif 000015
【図１４】
2011067552.tif 000016
【図１５】
2011067552.tif 000017
【図１６】
2011067552.tif 000018
【図１７】
2011067552.tif 000019
【図１８】
2011067552.tif 000020
【図１９】
2011067552.tif 000021
【図２０】
2011067552.tif 000022